(57)【要約】【課題】自動的に生ごみを収集可能なシンク用生ごみ収集装置を提供する【解決手段】  シンクの底板部１の開口部２に、下方に延びる生ごみ投入口部１０が形成され、生ごみ投入口部１０内に、外周壁に水抜き穴１５を形成した生ごみ捕獲用の捕獲筒９が設けられ、捕獲筒９の下方には、投入された生ごみを処理する生ごみ処理手段としての生ごみ乾燥装置２３が配備される。捕獲筒９の下端部９Ａには、捕獲筒９内部の生ごみを支持する底板部１３を水平方向に着脱可能に設けられ、生ごみ投入口部１０の捕獲筒９の下方に、底板部１３を水平方向に変位させる底板支持部材１６が設けられており、底板支持部材１６には、底板部１３の下方に位置して、捕獲筒９にて排水された水を生ごみ投入口部１０の外側に位置する排水管１１に排水する排水板３０が設けられている。【選択図】  図１
2005161278.tif 000002
【特許請求の範囲】
【請求項１】
シンクの底板部の開口部に、下方に延びる生ごみ投入口部が形成され、該生ごみ投入口部内に、外周壁に水抜き穴を形成した生ごみ捕獲用の捕獲筒が設けられ、該捕獲筒の下方に、投入された生ごみを処理する生ごみ処理手段が配備されるシンク用生ごみ収集装置であって、
前記捕獲筒の下部開口部に、前記捕獲筒内部の生ごみを支持する底板部を水平方向に着脱可能に設け、
前記生ごみ投入口部の前記捕獲筒下方に、前記底板部を水平方向に変位させる変位機構を設置し、
該変位機構に、前記底板部の下方に位置して、前記捕獲筒にて排水された水を前記生ごみ投入口部の外側に位置する排水管に排水する排水板を設けたことを特徴とするシンク用生ごみ収集装置。
【請求項２】
前記捕獲筒内の前記生ごみを、下方の前記生ごみ処理手段に投入する投入装置を設けたことを特徴とする請求項１記載のシンク用生ごみ収集装置。
【請求項３】
前記投入装置は、前記変位機構を駆動する駆動機構と、前記底板部を前記捕獲筒底部から前記水平方向に移動させるように前記駆動機構を駆動する制御手段と、該制御手段と接続されて前記駆動機構の駆動開始時期を検出する検出手段とを備えていることを特徴とする請求項２記載のシンク用生ごみ収集装置。
【請求項４】
前記捕獲筒は、前記底板部を取り付けた状態で前記生ごみ投入口部から出没可能であることを特徴とする請求項１乃至請求項３の何れか記載のシンク用生ごみ収集装置。
【請求項５】
前記捕獲筒を内蔵する前記生ごみ投入口部を備え、前記シンクの底板部の上から固定される上部ユニットと、前記投入機構を備え、前記上部ユニットの下方であって前記シンクの底板部の下側に固定される下部ユニットとで構成されることを特徴とする請求項１乃至請求項４の何れか記載のシンク用生ごみ収集装置。
【請求項６】
前記捕獲筒の下端縁部に、前記底板部を水平に変位させるときに前記底板部側の生ごみを削ぎ落とす機能を設けたことを特徴とする請求項１乃至請求項５の何れか記載のシンク用生ごみ収集装置。
【請求項７】
前記底板部が水切り穴のない平板で構成されていることを特徴とする請求項１乃至請求項６の何れか記載のシンク用生ごみ収集装置。
【請求項８】
前記変位機構が前記捕獲筒及び前記駆動機構から取り外し可能に設けられていることを特徴とする請求項１乃至請求項７の何れか記載のシンク用生ごみ収集装置。
【請求項９】
請求項１乃至請求項８の何れかのシンク用生ごみ収集装置を備えたシンクユニット。
【発明の詳細な説明】
【技術分野】
【０００１】
本発明は、キッチンのシンクユニット内に溜まった生ゴミの収集及び廃棄を容易に行えるシンク用生ごみ収集装置及びシンクユニットに関する。
【背景技術】
【０００２】
一般に、シンクユニットの排水口には、水と共に流れ込む生ごみを捕獲して水だけを排水し、生ごみを捕獲する捕獲筒が設けられている。この捕獲筒は、排水口から取り外し可能とされており、捕獲筒に溜まった生ゴミは、生ごみ収集袋等に投入して袋口を閉じ、ごみ収集場所等に廃棄している。
【０００３】
このような、生ごみ処理の手間を少なくするように、例えば、特開平７−２４３４９号の生ごみ処理装置では、シンクの排水口に排水管を設け、この排水管の中に、固定式の生ごみの受け籠を配置し、この生ごみ受け籠の底部に鉛直軸を中心に回転可能なカッターを配置し、前記生ごみの受け籠の外周部位に、前記カッターにて裁断した生ごみを受ける脱水筒を鉛直軸を中心に回転可能に配置し、この脱水筒に生ごみフィルターを被せ、排水口に流れた生ごみを受け籠に受け止め、生ごみ受け籠に溜まった生ゴミをカッターで裁断した後に、脱水筒の生ごみフィルターで捕獲し、脱水筒を回転させて脱水する構成とされている。
【特許文献１】特開平７−２４３４９号公報
【発明の開示】
【発明が解決しようとする課題】
【０００４】
しかし、上述のように、捕獲筒に捕獲した生ごみ等を生ごみ収集袋に投入する際に、手が生ごみにふれて汚れるなどの不便さがあった。又、特開平７−２４３４９号の生ごみ処理装置のように、生ごみ受け籠に溜まった生ゴミをカッターで裁断した後に、脱水筒の生ごみフィルターで捕獲し、脱水筒を回転させて脱水すると、下水道処理において負荷が大きくなるという問題もある。
【０００５】
このような下水道処理施設に極力負担をかけないように、シンクユニットのシンク下方空間に生ごみを乾燥させる生ごみ乾燥処理装置を配備するように構成した場合、シンクユニットのシンク下方空間は、鍋等の収納空間としても利用されるために、生ごみの乾燥処理装置が占める空間が大きいと、シンクユニットのシンク下方の収納空間を小さくしてしまうという問題がある。
【０００６】
本発明は、このような生ごみ処理の問題に着目してなされたものであり、生ごみを素手で極力触れることなく自動的に生ごみを収集可能であり、且つ、下水道施設に負担をかけず、しかも、シンクユニットの下方空間に占める割合を極力少なくしたシンク用生ごみ収集装置及びシンクユニットを提供することを課題とする。
【課題を解決するための手段】
【０００７】
このような課題を解決するために、本願の第１のシンク用生ごみ収集装置は、シンクの底板部の開口部に、下方に延びる生ごみ投入口部が形成され、該生ごみ投入口部内に、外周壁に水抜き穴を形成した生ごみ捕獲用の捕獲筒が設けられ、該捕獲筒の下方に、投入された生ごみを処理する生ごみ処理手段が配備されるシンク用生ごみ収集装置であって、前記捕獲筒の下部開口部に、前記捕獲筒内部の生ごみを支持する底板部を水平方向に着脱可能に設け、前記生ごみ投入口部の前記捕獲筒下方に、前記底板部を水平方向に変位させる変位機構を設置し、該変位機構に、前記底板部の下方に位置して、前記捕獲筒にて排水された水を前記生ごみ投入口部の外側に位置する排水管に排水する排水板を設けたことを特徴とする。
【０００８】
第２のシンク用生ごみ収集装置は、第１のシンク用生ごみ収集装置において、前記捕獲筒内の前記生ごみを、駆動機構の駆動開始時期において自動的に前記生ごみ処理手段に投入する投入装置を設けたことを特徴とする。
【０００９】
第３のシンク用生ごみ収集装置は、第２のシンク用生ごみ収集装置において、前記自動投入装置は、前記変位機構を駆動する駆動機構と、駆動機構の駆動開始時期において前記底板部を前記捕獲筒内部から前記水平方向に移動させるように前記駆動機構を駆動する制御手段と、該制御手段と接続されて前記生ごみ投入時期を検出する検出手段とを備えていることを特徴とする。
【００１０】
第４のシンク用生ごみ処理装置は、第１乃至第３の何れか記載のシンク用生ごみ収集装置において、前記捕獲筒は、前記底板部を取り付けた状態で前記生ごみ投入口部から出没可能であることを特徴とする。
【００１１】
第５のシンク用生ごみ処理装置は、第１乃至第４の何れか記載のシンク用生ごみ収集装置において、前記捕獲筒を内蔵する前記生ごみ投入口部を備え、前記シンクの底板部の上から固定される上部ユニットと、前記投入機構を備え、前記上部ユニットの下方であって前記シンクの底板部の下側に固定される下部ユニットとで構成されることを特徴とする。
【００１２】
第６のシンク用生ごみ処理装置は、第１乃至第５の何れか記載のシンク用生ごみ収集装置において、前記捕獲筒の下端縁部に、前記底板部を水平に変位させるときに前記底板部側の生ごみを削ぎ落とす機能を設けたことを特徴とする。
【００１３】
第７のシンク用生ごみ処理装置は、第１乃至第６の何れか記載のシンク用生ごみ収集装置において、前記底板部が水切り穴のない平板で構成されていることを特徴とする。
【００１４】
第８のシンク用生ごみ処理装置は、第１乃至第７の何れか記載のシンク用生ごみ収集装置において、前記変位機構が前記捕獲筒及び前記駆動機構から取り外し可能に設けられていることを特徴とする。
【００１５】
本願のシンクユニットは、第１乃至第８の何れかのシンク用生ごみ収集装置を備えたことを特徴とする。
【発明の効果】
【００１６】
第１のシンク用生ごみ収集装置によれば、生ごみを捕獲筒に投入すると、捕獲筒にて生ごみの水分が排水機構から生ごみ投入口部の外部にある排水管に排水され、捕獲筒に水分の切られた生ごみが保持される。生ごみを捕獲筒に投入した後に、捕獲筒の底板部を変位機構により水平方向に変位させると、捕獲筒の底板部と排水板が水平方向に移動して捕獲筒内部の生ごみが捕獲筒の下部から生ごみ処理手段に落下する。従って、生ごみの処理に伴う水処理等の利便性を向上すると共に、底板部を水平方向に変位させるために、生ごみ収集装置自身の高さを小さくでき、シンク下方の収納空間を極力確保することができる。
【００１７】
第２のシンク用生ごみ収集装置によれば、駆動機構の駆動開始時期（例えば、生ごみの投入処理を行うボタンを押したとき、或いは、センサが生ごみが所定高さまで溜まったことを検出したとき、若しくは、シンクの排水口に蓋を被せたとき等）に、生ごみ処理手段に生ごみを自動的に投入するので、手で生ごみを扱う処理をせずに済み、手が汚れない。
【００１８】
第３のシンク用生ごみ収集装置によれば、第２のシンク用生ごみ収集装置と同様に、検出手段が駆動機構の駆動開始時期（例えば、生ごみの投入処理を行うボタンを押したとき、或いは、センサが生ごみが所定高さまで溜まったことを検出したとき、若しくは、シンクの排水口に蓋を被せたとき等）を検出し、この検出結果に基づいて制御手段（例えば、マイクロコンピュータ若しくはシーケンス回路を用いた制御基板）が、駆動機構を駆動して底板部を水平に移動させるので、自動的に生ごみを生ごみ処理手段に投入することができる。
【００１９】
第４のシンク用生ごみ収集装置によれば、生ごみの捕獲筒が底板部を取り付けた状態で生ごみ投入口から取り外せることにより、手元での清掃作業を容易に行うことができ、又混入異物の除去も容易に行える。
【００２０】
第５のシンク用生ごみ収集装置によれば、シンクの開口部から下側に突出する突出部分を少なくし、下部ユニット側でその突出部分を下部ユニットの内側に保持するように、下部ユニットをシンクの下側から設置できるので、設置が容易であると共に、シンク下方における生ごみ収集装置の高さを抑制でき、シンク下方空間における生ごみ収集装置の占める割合を小さくできる。
【００２１】
第６のシンク用生ごみ収集装置によれば、捕獲筒の下端縁部に底板部の水平移動時に底板部に付着した生ごみを削ぎ落とすことにより、底板部の生ごみに手をふれなくても良く、又、底板部を清浄化することができる。
【００２２】
第７のシンク用生ごみ収集装置によれば、底板部が平板で形成されていることにより、底板部の水切り穴に茶殻・楊枝・骨などが入り込むことがなく、これらのごみを取り除くために、指で摘み取るといった作業も無くなると共に、捕獲筒からスライドできなかったり、これらの茶殻、楊枝、骨等を除去し難くなるといったこともなくなる。
【００２３】
第８のシンク用生ごみ収集装置によれば、変位機構が捕獲筒及び駆動機構から取り外し可能になることにより変位機構の洗浄等を容易に行うことができる。
【００２４】
本願のシンクユニットによれば、上第１乃至第７のシンク用生ごみ収集装置を備えた効果を得ることができる。
【発明を実施するための最良の形態】
【００２５】
以下、本発明を実施するための最良の形態のシンク用生ごみ収集装置を図面を用いて説明する。
【００２６】
図１は、キッチンに設置されるシンクユニットの底板部１（シンク）の開口部２近傍の断面構成を示す。このシンクユニットには生ごみ収集装置３が装着されている。この生ごみ収集装置３は、底板部１の上部の上部ユニット４と、底板部１の下部の下部ユニット５とを有する。上部ユニット４はシンクユニットの底板部１の開口部２の上から装着され、下部ユニット５は底板部１の下方に配備され、上部ユニット４の下部に取り付けられる。上部ユニット４と下部ユニット５とは分離可能とされ、固定金具６とネジ７とで結合されている。
【００２７】
図１では固定金具６とネジ７はそれぞれ１個示されているが、上部ユニット４の周囲に複数個設けて固定しても良い。上部ユニット４は、シンクユニットの底板部１上を流れる水等を排水する排水口部８と、生ごみを捕獲する捕獲筒９を装着する生ごみ投入口部１０とを有する。排水口部８には排水管１１の上部が接続される。
【００２８】
上部ユニット４は、捕獲筒９を装着して上下方向に着脱可能に保持する機能と、排水口部８に生ごみ以外の水分等を排水する機能とを有し、捕獲筒９の上部には、後述する蓋体１２が装着される。蓋体１２は、捕獲筒９内に捕獲された生ごみから水分を切って、生ごみ収集装置３の下方に配設される生ごみ乾燥処理装置２３に、水分を切った生ごみを投入するためのものである。蓋体１２の圧縮板５０に設けたマグネット５１と上部ユニット４に設けたセンサ４８は、駆動機構の駆動開始時期を検知する検知手段として、乾燥処理装置２３に生ごみを自動的に投入する機会を検出する機能を有するものであり、その詳細は後述する。
【００２９】
生ごみを捕獲する捕獲筒９は、上部ユニット４と下部ユニット５との間にまたがって配備され、上下方向には着脱可能であるが、横方向にスライドするものではないので、ここでは上部ユニット４に属するものとして説明する。勿論、下部ユニット５に属するものと定義することも可能である。
【００３０】
捕獲筒９の底板部１３は、筒状の周壁部１４から離脱可能に装着されている。すなわち、捕獲筒９の周壁部１４の下端部９Ａは開口されており、この周壁部の下端部９Ａには、底板部１３の左右両端縁部を抱え込むように保持する保持部１４が一対形成されている。
【００３１】
一対の保持部１４の相対する壁面には底板部１３を保持するための溝部が形成されており、底板部１３は一対の保持部１４の長手方向に沿ってスライド可能とされている（図５、図６、図７参照）。一対の保持部１４の溝部には底板部１３のスライド脱落を防止するための小さな突起が形成され、底板部１３の溝部内をスライドする側端部には前記突起に嵌合する凹部が形成され、節度が維持されている。
【００３２】
捕獲筒９の周壁部には水切り穴１５が多数形成されている。この水切り穴１５は、底板部１３を保持する底板支持部材１６の側板部１７の高さより低い位置に形成されており、水切り穴１５から排水される水が底板支持部材１６の側板部１７を越えて流れることを防止している。すなわち、底板支持部材１６は、捕獲筒９から排水される水を排水する機能をも備えているので、側板部１７を越えて水が流れると、乾燥処理手段２３側に水が浸入してしまうため、これを防止している。
【００３３】
この実施の形態では底板部１３にも水切り穴１８が多数形成されているが、底板部１３の上面部を平らに形成して水切り穴１８を形成しない場合もある。底板部１３を平らに形成すると、生ごみの水切りは周壁部の水切り穴１５で行われ、底板部１３を周壁部から横に移動したときに、底板部１３に小さい生ごみや針状或いは棒状の生ごみ（例えば、楊枝、茶殻、骨など）が水切り穴１８に刺さって底板部１３がスライドできなくなるということを防止できると共に、刺さった生ごみの軸などを取り除く手間がかからない。
【００３４】
捕獲筒９は、底板部１３のスライド方向が定められているために、水平面内における周囲の角を丸く面取りし、且つ、水平面内において縦横の長さが異なる矩形断面の筒体形状を有している。上部ユニット４の生ごみ投入口部１０も、捕獲筒９の挿入時に無駄な隙間ができないように、捕獲筒９が嵌合する形状とされており、捕獲筒９を挿入するときの捕獲筒９の鉛直軸周りであって水平面内における挿入方向が決められている。
【００３５】
下部ユニット５は、前述の底板支持部材１６と、この底板支持部材１６を保持するハウジング１９とを備えている。ハウジング１９は上部ユニット４の下部に密着して取り付けられる上板部２０と、上板部２０の左右両側部から延びる一対の側板部２１と、上板部２０の奥部（この実施の形態では、排水管１１が設置される方がキッチンユニットの奥部とされる）に形成される奥壁部２２と、下方に生ごみ乾燥処理装置２３（生ごみ処理手段）が取り付けられる筒部２４とを有する。
【００３６】
ハウジング１９の捕獲筒９が挿入される部分は筒体若しくは枠体形状の断面形状を有している。ハウジング１９の上板部２０には、捕獲筒９を上下方向に挿入・取り外し可能な開口部２５が形成されている。又、ハウジング１９の側方には、底板支持部材１６を挿入するための開口部２６が形成されている。この開口部２６は、ハウジング１９の上板部２０と一対の側板部２１の間に形成され、開口部２６の奥部は奥壁部２２によって閉鎖されている。一対の側板部２１の相対向する壁面の下端縁部には、底板支持部材１６の両側の下端縁部を抱え込むように保持する支持突起部２７がそれぞれ形成されている。この支持突起部２７は、ハウジング１９の筒状の内部壁面において奥壁部２２まで及ぶように形成されている。
【００３７】
奥壁部２２には、底板支持部材１６から水を流すための排水口２８が開口されており、この排水口２８の外側周縁部に、排水管１１に接続される接続筒部２９が形成されている。接続筒部２９は、底板支持部材１６の排水板３０から流れ出る水を排水管１１に導いて排水する。
【００３８】
底板支持部材１６は、上部の開放された矩形の箱体形状から１側壁部を取り除いて３側壁部と底とを有する形状を有している。底板支持部材１６の第１側壁部３１の左右両端部には一対の第２側壁部１７が形成され、第１側壁部３１の下部と一対の第２側壁部１７の下部には、捕獲筒９から排水された水等を排水するための排水板３０が一体に形成されている。
【００３９】
排水板３０は第１側壁部３１側の部位が高い位置に位置し、排水板３０の先端の部位（第１側壁部３１の反対側の端部）が低い位置に位置するように、傾斜しており、スライド方向に対して左右両側部には側板部１７が上下方向に立ち上がっている。また、側板部１７の先端部下部の凸部３８が排水板３０の先端部まで延びており、排水板３０は略樋状の断面を構成している。これによって、排水板３０は、捕獲筒９の水切り穴１５を通過した水等の液体を、排水口２８から接続筒部２９を経由して排水管１１に導くことができるようになっている。
【００４０】
底板支持部材１６の奥壁部２２側が開放されている理由は、底板支持部材１６を側板部２１の長穴３２に沿ってスライドして変位させるときに、捕獲筒９を通過させるためである。よって、捕獲筒９が水平方向に不動の状態で、底板部１３が長穴３２の長手方向に移動すると、捕獲筒９の底が開いて（図３，図４参照）、内部の生ごみが乾燥処理装置２３内に投入されることとなる。このとき、底板部１３が捕獲筒９の下端縁部を摺接するために、底板部１３に付着している生ごみの残滓が削り落とされて乾燥処理装置２３内に投入されると共に、底板部１３が清浄化される。
【００４１】
底板支持部材１６の排水板３０上面の前後端部には、底板部１３を保持するための保持突起部３３、３４が形成されている。保持突起部３３，３４は底板部１３を保持したときに捕獲筒９の下端縁部と同じ高さとなるように高さが定められ、底板支持部材１６がスライドできるようになっている。
【００４２】
又、図２に示すように、保持突起部３３，３４の相対する壁面部には、底板部１３の肉厚相当の深さを有する保持溝３５がそれぞれ形成されており、この一対の保持溝３５の間に底板部１３が保持されるようになっている。保持突起部３４と排水板３０との間には、排水穴３６が開口されている。保持突起部３４の上面部両端部には、底板部１３の左右両端部を保持する保持部１４を通過させる凹部３７（図８参照）が形成されている。
【００４３】
一対の第２側壁部１７は、図１に示すように、捕獲筒９に生ごみが投入されるときに排出される水等が筒部２４側に漏れることを防止しており、水切り穴１５の最上部より高い高さを有している。
【００４４】
一対の第２側壁部１７の奥部下部には、排水板３４の両側から水が漏れることを防ぐための凸部３８がそれぞれ形成されており、底板支持部材１６の排水板３０の先端部が排水口２８内部に挿入されるときに、凸部３８も排水口２８内部に挿入されて、排水口２８の側方から水等が筒部２４内部下方に落下することを防止する。
【００４５】
第１側壁部３１の裏面側には、親指と人差し指等で摘むことが可能な摘み部３９が設けられており、第１側壁部３１はシンクユニットのシンク下方に通常形成される収納空間のドア（図示省略）側に配置され、自動で底板支持部材１６を引き出せない場合や、手動のみで底板支持部材１６を引き出す場合に摘み部３９を摘んでシンクユニットの入り口側に引き出すことができるようになっている。
【００４６】
この底板支持部材１６には、底板支持部材１６自身を自動でシンクユニットの入り口側に引き出すための駆動機構として、上板部２０の上部の固定金具６にモーター４０と、ギア機構４１とが設けられている。
【００４７】
ギア機構４１は、モーター４０の回転軸に取り付けられるギア４１Ａと、ギア４１Ａに噛み合うギア４１Ｂと、ギア４１Ｂに一体に回転するウォームギア４１Ｃと、ウォームギア４１Ｃに噛み合うギア４１Ｄとにより構成される。
【００４８】
ギア４１Ｂ〜４１Ｄの回転軸は、固定金具６の上部に突設される支持板（図示省略）に支持されている。ギア４１Ｄと一体に回転する回転軸４２の両端部にはリンク４３が回り止めが施されてそれぞれ固定されており、回転軸４２の回転によりリンク４３が揺動するようになっている。リンク４３の回動時の円弧が長くなる自由端部側には長穴４３Ａがリンク４３の長手方向に形成されている。
【００４９】
図２に示すように、底板支持部材１６の一対の第２側壁部１７の箱体の外側には、突起部４４が形成され、この左右一対の突起部４４は、このリンク４３の長穴４３Ａにスライド可能に嵌合している。モーター４０は、後述する制御装置４５のマイクロコンピュータ４６により回転する。
【００５０】
図９は制御装置４５のブロック図を示す。制御装置４５は、マイクロコンピュータ４６と、メインスイッチ４７と、センサ４８，４９と、手動操作スイッチ（図示省略）、モーター４０に通電するリレーＲ１，Ｒ２及び周辺回路等を備えている。センサ４８は、捕獲筒９の上端部近傍に設置され、センサ４９は奥壁部２２の下部に設置されている。センサ４８、４９は、一例として、蓋体１２の圧縮板５０のマグネット５１に吸引されてＯＮするマグネットスイッチで構成され、蓋体１２の圧縮板５０が接近したときに、導通して、この導通信号をマイクロコンピュータ４６に送信する。
【００５１】
マイクロコンピュータ４６は、キッチンユニットのドア部等に設けられたコントローラ６０（図９参照）のメインスイッチ４７のＯＮにより操作可能になり、生ごみを自動で乾燥処理装置２３投入することが可能になる。
【００５２】
尚、リンク４３の中間部を二分割し、分割された部分同士をヒンジ等で結合し、通常は、折り畳まれない棒状のリンク４３として長穴４３Ａと突起部４４とを連結し、リンク４３を底板支持部材１６の側壁部１７から離間する方向に折り曲げ可能に構成すると、故障等で底板支持部材１６がスライドできないときに、前記ヒンジでリンク４３を折り畳み、長穴４３Ａと突起部４４との連結を解除でき、手動で底板支持部材１６をハウジング１９から取り出し、底板部１３のスライドの引っかかりを解消した後に、リンク４３を再度棒状に延ばして長穴４３Ａと突起部４４とを嵌め合わせて連結すれば、簡単に故障を解消できる。
【００５３】
蓋体１２は蓋体下部１２Ａが捕獲筒９の内側に嵌合する。図１１に示すように、蓋体１２には、押圧力を加えるための一対の案内軸５４がスライド可能に通されており、一対の案内軸５４の上端部は連結されている。一対の案内軸５４の中間部には連結部分５５が形成されている。連結部分５５は上部の軸の凸部が下部の軸の凹部に入り込んでおり、図示しないピンにより、上下の軸同士が回動可能に連結されている。一対の案内軸５４の下端部には、捕獲筒９の内側断面形状に相似形の圧縮板５０が取り付けられており、圧縮板５０の周囲にブラシ５６が形成されている。圧縮板５０の外周部には環状のマグネット５１が埋設されている。
【００５４】
次に、制御装置４５による自動的に行う生ごみの投入動作について説明する。マイクロコンピュータ４６の動作は次の通りである。すなわち、図１０の流れ図に示すとおり、メインスイッチオンの後に、蓋体１２が捕獲筒９の上部開口部に嵌合され、圧縮板５０が捕獲筒９の上部に位置すると、センサ４８がＯＮになり（ステップ１、図１０ではステップをＳと図示する）、蓋体１２が捕獲筒９に嵌合されたことがマイクロコンピュータ４６に送信される。
【００５５】
センサ４８がＯＮになった後、マイクロコンピュータ４６は、乾燥処理装置２３のリレーＲ２を通電して乾燥処理装置２３を駆動する（ステップ２）。次に、マイクロコンピュータ４６は、底板支持部材１６を奥壁部２２から離間させて、捕獲筒９の生ごみを自動的に乾燥処理機２３に投入するように、モーター４０に通電する（ステップ３）。モーター４０は、リンク４３を駆動して底板支持部材１６を奥壁部２２に近づける。リンク４３の長穴４３Ａには突起部４４が通されているので、リンク４３の揺動に伴って底板支持部材１６がスライドする。
【００５６】
底板支持部材１６が最も捕獲筒９から離間した位置にスライド移動すると、リミットスイッチ５２がＯＮし（ステップ４）、モーター４０は正転を停止する（ステップ５）。
【００５７】
次に、手動により圧縮板５０を押し下げて生ごみを下降すると（ステップ６）、捕獲筒９の周壁部に付着した生ごみが、乾燥処理機２３に投入される。圧縮板５０が下死点に到達すると、センサ４９がＯＮになる（ステップ７）。
【００５８】
センサ４９がＯＮになった後に、所定時間（例えば１乃至３秒程度）モーター４０は停止し（ステップ８）、再度モーター４０が逆回転して（ステップ９）、底板支持部材１６を捕獲筒９側にスライド移動させ、捕獲筒９の下端部と保持部１４の間に底板部１３を嵌め込んで奥壁部２２側のリミットスイッチ５３をＯＮさせると（ステップ１０）、停止する（ステップ１１）。尚、モーター４０の正転・逆回転は図示しないステップにより正常に実行されているかどうかがチェックされ、モーター４０が正常に回転しない場合には、コントローラの液晶表示板に異常表示がなされる。
【実施例】
【００５９】
以上説明したように、この実施の形態のシンク用生ごみ収集装置では、シンクの底板部１の開口部２に、下方に延びる生ごみ投入口部１０が形成され、生ごみ投入口部１０内に、外周壁に水切り穴１５を形成した生ごみ捕獲用の捕獲筒９が設けられている。捕獲筒９の下方には、投入された生ごみを処理する生ごみ処理手段としての生ごみ乾燥装置２３が配備される。
【００６０】
捕獲筒９の下端部９Ａには、捕獲筒９内部の生ごみを支持する底板部１３が水平方向（略水平方向を含む）に着脱可能に設けられ、生ごみ投入口部１０の捕獲筒９の下方に、底板部１３を水平方向に変位させる変位機構としての底板支持部材１６が設けられており、底板支持部材１６には、底板部１３の下方に位置して、捕獲筒９にて排水された水を生ごみ投入口１０部の外側に位置する排水管１１に排水する排水板３０が設けられている。
【００６１】
この生ごみ収集装置３において、上部ユニット４内のセンサ４８と、蓋板１２の圧縮板５０のマグネット５１は、駆動機構の駆動開始時期を検出する検出手段を構成する。また、生ごみ収集装置３は、駆動機構の駆動開始後に捕獲筒９内の生ごみを自動的に生ごみ乾燥処理装置２３（生ごみ処理手段）に投入する投入装置を備えている。
【００６２】
生ごみを投入する投入装置は、底板支持部材１６と、底板支持部材１６を駆動する駆動機構と、底板部１３を捕獲筒９の底部から水平方向に移動させるように駆動機構を駆動する制御手段と、センサ４８とで構成される。
【００６３】
底板部１３を変位させる底板支持部材１６は、奥板が取り除かれた引き出し型の形状を有するものであり、排水板３０の上に底板部１３を保持し、捕獲筒９から底板部１３を分離可能とされている。底板支持部材１６は、駆動機構により駆動され、底板部１３を捕獲筒９から取り出したり、捕獲筒９に装着する。
【００６４】
駆動機構は、モーター４０と、ギア機構４１と、回転軸４２と、リンク４３と、突起部４４と、制御装置４５とにより構成される。
【００６５】
この駆動機構は、センサ４８がマグネット５１を検出すると、駆動機構の駆動開始時期を検出したこととなり、制御手段としての制御装置４５のマイクロコンピュータ４６が、駆動機構であるモーター４０，ギア機構４１，リンク４３等を駆動する。
【００６６】
リンク４３が揺動すると、底板支持部材１６が駆動され、底板部１３が捕獲筒９内部から水平方向に移動する。そして、底板支持部材１６が、図３，図４に示すように水平方向に移動する結果、図６に示すように、捕獲筒９の一対の保持部１４に保持された底板部１３が捕獲筒９の下端縁部を摺接する。
【００６７】
これによって、底板部１３に付着している生ごみの残滓が削り落とされ、乾燥処理装置２３に投入される。この底板部１３は水切り穴のない平板で構成されていてもよい。更に、底板支持部材１６が捕獲筒９及び駆動機構のリンク４３から取り外し可能に設けられており、底板支持部材１６を取り出して洗浄することも可能とされている。
【産業上の利用可能性】
【００６８】
建物のキッチン或いは生ごみ等の発生するシンクユニットに設けられ、生ごみの処理に伴う水処理等の利便性を向上する。
【図面の簡単な説明】
【００６９】
【図１】本願の最良の形態にかかる生ごみ収集装置の構成を示す図。
【図２】図１の生ごみ収集装置における底板部の変位機構としての底板支持部材の構成を示す模式的な斜視図。
【図３】底板支持部材を水平に移動させて底板部を捕獲筒から取り出す状態を示す説明図。
【図４】底板支持部材を水平に移動させて底板部を捕獲筒から取り出した状態を示す説明図。
【図５】捕獲筒に底板部を装着した状態の断面図。
【図６】捕獲筒が底板部を保持している状態の断面図。
【図７】捕獲筒から底板部がスライドして外れる状態の断面図。
【図８】底板支持部材が捕獲筒の底板部をスライド移動可能に支持している状態を示す断面図。
【図９】生ごみ収集装置の制御手段を構成するマイクロコンピュータ及びその周辺素子のブロック図。
【図１０】生ごみの自動投入工程を示す流れ図。
【図１１】捕獲筒の上部開口部に装着される蓋体の構成を示す図。
【符号の説明】
【００７０】
１  シンクの底板部
２  シンクの底板部の開口部
３  生ごみ収集装置
４  上部ユニット
５  下部ユニット
９  捕獲筒
１０  生ごみ投入口部
１１  排水管
１２  蓋体
１３  底板部
１５  水抜き穴
１６  底板支持部材（変位機構）
２３  生ごみ乾燥装置（生ごみ処理手段）
３０  排水板
４０  モーター（駆動機構）
４１  ギア機構（駆動機構）
４２  回転軸（駆動機構）
４３  リンク（駆動機構）
４４  突起部（駆動機構）
４６  マイクロコンピュータ（制御手段）
４８  センサ（検出手段）
５０  圧縮板
５１  マグネット（検出手段）
【図１】
2005161278.tif 000003
【図２】
2005161278.tif 000004
【図３】
2005161278.tif 000005
【図４】
2005161278.tif 000006
【図５】
2005161278.tif 000007
【図６】
2005161278.tif 000008
【図７】
2005161278.tif 000009
【図８】
2005161278.tif 000010
【図９】
2005161278.tif 000011
【図１０】
2005161278.tif 000012
【図１１】
2005161278.tif 000013